(57)【特許請求の範囲】
【請求項１】
斜め上方に屈曲形成された傾斜縁部を進行方向の前端に有する輾圧板と、輾圧板に振動を与える起振機とを備えた振動式路面輾圧機に搭載され、前記輾圧板の傾斜縁部より、輾圧板の踏面に液剤を供給する液剤散布装置であって、
液剤を貯める液剤タンクと、液剤タンクから供給される液剤を散布孔から散布させる散布ノズルとを備え、前記散布ノズルは、その先端部が傾斜縁部より路面側に突出して小さなノズル頭部を形成するように輾圧板に貫通して取り付けられ、この散布ノズルの内部には輾圧板を略直交して貫通する液剤通路孔が形成されるとともに、前記散布孔は、この液剤通路孔から直接に分岐形成され、散布孔の孔軸方向が傾斜縁部の表面と略平行にノズル頭部に穿設される構成としたことを特徴とする振動式路面輾圧機の液剤散布装置。
【請求項２】
前記散布孔の孔軸方向が、輾圧板の幅方向成分を含むように前記ノズル頭部に穿設されていることを特徴とする請求項１に記載の振動式路面輾圧機の液剤散布装置。
【請求項３】
前記散布ノズルは、その先端が輾圧板の進行方向において傾斜縁部の先端よりも後方に位置するように、或いは略同位置となる程度に傾斜縁部の上方に取り付けられる構成としたことを特徴とする請求項１または請求項２に記載の振動式路面輾圧機の液剤散布装置。
【発明の詳細な説明】
【０００１】
【発明の属する技術分野】
本発明は、プレートコンパクタ等の振動式路面輾圧機に搭載され、輾圧板の表面に液剤を供給してアスファルト合材の付着を防止する液剤散布装置に関するものである。
【０００２】
【従来の技術】
プレートコンパクタ等の振動式路面輾圧機は主にアスファルト路面の輾圧作業に使用されるものであるが、長時間連続して輾圧を行った場合には、輾圧板の路面と接触する面部（以下、踏面という）にアスファルト合材が付着してスムースな路面輾圧ができなくなるため、輾圧板の踏面にアスファルト付着防止液剤を、稼働時に連続的、或いは間欠的に供給してアスファルト合材の付着を防止する液剤散布装置を機体に搭載させるという方法が従来から実施されている。
【０００３】
振動式路面輾圧機としてプレートコンパクタに搭載された液剤散布装置の一従来例を図４及び図５に示す。図４（ａ）は液剤散布装置を搭載したプレートコンパクタの正面図、図４（ｂ）は側面図である。また、図５は図４（ｂ）におけるＧ矢視図である。図４において、符号３１はプレートコンパクタを示し、路面の輾圧を行う輾圧板３２、輾圧板３２に振動を与える起振機３３、起振機３３を駆動させる原動機３４等から構成される。輾圧板３２の前後端は、縁石付近やマンホール周縁等のいわゆる不陸部分の立ち上げ作業用として、それぞれ緩やかな円弧を描きながら斜め上方に屈曲して傾斜縁部３２ａを形成している。
【０００４】
液剤散布装置３５は、アスファルト付着防止液剤等を貯留させる液剤タンク３６と、輾圧板３２の進行方向の傾斜縁部３２ａに取り付けられる液剤散布管装置３７と、液剤タンク３６の液剤排出口と液剤散布管装置３７の間を接続する液剤供給ホース３８とからなり、コック４５を開くと、液剤タンク３６内の液剤が重力により液剤供給ホース３８を経由して液剤散布管装置３７に送られるようになっている。
液剤散布管装置３７は、図５に示すように両端口をキャップ４２で閉塞された中空部材より作られた散布管３９が、散布管固定部材４０及び４１でその両端部を支持されることにより傾斜縁部３２ａの左右端にわたって、また傾斜縁部３２ａの表面と平行となるように配設されるもので、散布管３９にはその傾斜縁部３２ａに対向する部位に所定間隔で複数の散布孔３９ａが穿設されている。散布管固定部材４０及び４１は、それぞれ略立方体状の散布管支持部４０ａ、４１ａとねじ部４０ｂ、４１ｂを有し、散布管支持部４０ａ、４１ａには散布管３９を貫通させる貫通孔が穿設されており、ねじ部４０ｂ、４１ｂが傾斜縁部３２ａの所定部位に穿設された孔を貫通して、ナット４３にて傾斜縁部３２ａに取り付けられる。さらに、散布管固定部材４１は、液剤供給ホース３８と接続するニップル部４１ｃが形成されるとともに、このニップル部４１ｃの端面から散布管３９の管内に連通するように液剤供給孔４１ｄが穿設されている。
液剤散布装置３５は以上のような構成からなり、液剤タンク３６から散布管３９に供給された液剤は、プレートコンパクタの振動作用によって散布孔３９ａから傾斜縁部３２ａへ向けて霧状に散布される。傾斜縁部３２ａに付着した液剤は雫となって傾斜縁部３２ａの表面を伝って踏面に供給される。
【０００５】
また、液剤散布管装置に係る他の従来例を図６に示す。図６（ａ）はその正面図、図６（ｂ）は側面図（散布管の部位は断面）である。液剤散布管装置５１は、散布管５２を傾斜縁部３２ａの先端と略同一の高さに配置させており、液剤供給ホース３８から散布管５２への液剤供給は継手５３を介して、傾斜縁部３２ａの円弧形成された上部コーナーの上方位置から行っている。液剤を散布する散布孔５２ａは散布管５２の下端部に穿設されており、前述の従来例同様、所定間隔で複数穿設されている。また、中空部材より作られた散布管５２を保護するためガード板５４が設けられ、その一端側は起振機３３固定用のボルト５５を利用して共締めされ、他端側は散布管５２を囲むように略Ｕ字型に湾曲形成される。符号５７は散布管５２を支持固定させるための散布管固定部材で、ボルト５８によりガード板５４に固定される。散布管５２はこの散布管固定部材５７に溶接等により固定される。なお、符号５６はガード板５４の補強部材である。
液剤散布管装置５１は以上のように構成され、液剤は散布孔５２ａからガード板５４の内面下方に向けて霧状に噴出するが、ガード板５４の湾曲内面部で反射され、その開放口に位置した傾斜縁部３２ａに向かって散布されることになる。
【０００６】
【発明が解決しようとする課題】
ところで、振動式路面輾圧機、特にプレートコンパクタは車道におけるアスファルト補修作業に使用されることが多いが、縁石等、段差のある部位での路面輾圧においては、上述した従来の液剤散布装置を搭載していた場合、以下に示すような問題が発生していた。
（１）前者の液剤散布装置３５の場合には、中空部材より作られた散布管３９が傾斜縁部表面に、大きな突状体となって取り付けられるために、縁石付近での輾圧作業中、散布管３９が縁石に接触して縁石隅部の路面輾圧作業がスムースに行えなくなるばかりか、管が変形、破損するという問題を有していた。また、散布管固定部材４０及び４１など、その構成部材は複雑な形状のものとなり、その製作、加工に手間がかかるため装置全体のコスト高につながっていた。
（２）また、後者の液剤散布装置は、中空部材より作られた散布管の破損を防止できるという利点を有するが、ガード板５４が邪魔となってやはり縁石隅部の路面輾圧作業がスムースに行えなくなり、また、部材点数が多いため、装置のコスト高を招き、さらにガード板５４、補強部材５６などは重量があるため、プレートコンパクタ自体の機動性が損なわれる、などの問題を有していた。
【０００７】
本発明は上述の課題を解決するために創作されたものであり、縁石など段差部付近の路面輾圧においても作業の妨げとならず、また、変形、破損などの損傷も少なく、安価に製作可能となる振動式路面輾圧機の液剤散布装置を提供することを目的としている。
【０００８】
【課題を解決するための手段】
本発明は前記の目的を達成するために以下の手段を用いた。
斜め上方に屈曲形成された傾斜縁部を進行方向の前端に有する輾圧板と、輾圧板に振動を与える起振機とを備えた振動式路面輾圧機に搭載され、前記輾圧板の傾斜縁部より輾圧板の踏面に液剤を供給する液剤散布装置であって、液剤を貯める液剤タンクと、液剤タンクから供給される液剤を散布孔から散布させる散布ノズルとを備え、前記散布ノズルは、その先端部が傾斜縁部より路面側に突出して小さなノズル頭部を形成するように輾圧板に貫通して取り付けられ、この散布ノズルの内部には輾圧板を略直交して貫通する液剤通路孔が形成されるとともに、前記散布孔は、この液剤通路孔から直接に分岐形成され、散布孔の孔軸方向が傾斜縁部の表面と略平行にノズル頭部に穿設される構成とした。
また、前記散布孔の孔軸方向が、輾圧板の幅方向成分を含むように前記ノズル頭部に穿設されている構成とした。
また、前記散布ノズルは、その先端が輾圧板の進行方向において傾斜縁部の先端よりも後方に位置するように、或いは略同位置となる程度に傾斜縁部の上方に取り付けられる構成とした。
【０００９】
【発明の実施の形態】
本発明に係る振動式路面輾圧機の液剤散布装置をプレートコンパクタに搭載した場合の実施形態について、図１乃至図３に基づいて説明する。図１は液剤散布装置を搭載したプレートコンパクタを示す外観説明図であり、図１（ａ）は正面図、図１（ｂ）は側面図である。また図２は図１（ｂ）におけるＡ矢視図、図３は図１（ａ）におけるＢ−Ｂ断面図である。
【００１０】
図１において、符号Ｃはプレートコンパクタを示す。このプレートコンパクタＣは、輾圧板１３、起振機１４、駆動モータ１５、エンジン１６をその主要構成要素とし、後方部には操舵用のハンドル１８を備え、また転倒時の保護のため、パイプ材からなるガードフレーム１７が駆動モータ１５、エンジン１６等を囲むようにして取り付けられている。
輾圧板１３は、鋼板からなり、アスファルト等の路面と接触してその輾圧を行う底面部を踏面１３ｂとし、また、進行方向の前端には緩やかな円弧を描いて斜め上方に屈曲する傾斜縁部１３ａを有する形状となっている。起振機１４、駆動モータ１５及びエンジン１６は、輾圧板１３の内面に溶接された逆凹形状の取付板１９上に直接、又はブラケット等を介してそれぞれ固定設置されており、エンジン１６の始動により駆動モータ１５を回転させ、ベルト２０を介して起振機１４内の起振軸を回転させることにより、輾圧板１３に振動を与える。
【００１１】
さて、液剤散布装置１は、液剤を貯める液剤タンク２と、液剤タンク２から供給される液剤を散布する散布ノズル３、液剤タンク２から散布ノズル３へ液剤を供給するためのホース群からなり、プレートコンパクタＣの進行方向前方部に搭載される。
液剤タンク２は、鉄板製で、ガードフレーム１７に挟持されるとともにブラケット２１に載置されてプレートコンパクタＣの進行方向前方上部に取り付けられる。液剤は、鉱油からなるアスファルト付着防止剤、乳化剤を用いて鉱油と水を混合させたアスファルト付着防止剤、又は単に水など、路面材質に合わせたものが適宜使用される。ここに、液剤としては、水そのものも含むものとする。液剤タンク２から散布ノズル３への液剤供給は、可撓性を有した液剤供給ホース４、５及び６を介して行い、液剤タンク２の底部に設けられた液剤排出用のニップル２２に液剤供給ホース４を接続し、三ツ口のホース接続ニップル７を介してその液剤供給路を液剤供給ホース５及び６に分岐させ、それぞれ傾斜縁部１３ａの左右端近傍に取り付けられた散布ノズル３に接続させている。また、ニップル２２には開閉自在なコック８が取り付けられ、手動でコック８を開くと液剤は重力によりホース内を流れて下方に位置する散布ノズル３へと供給される。
【００１２】
踏面１３ｂへの液剤供給を充分に行うため、本実施形態では散布ノズル３を傾斜縁部１３ａの左右端近傍位置に各々１つずつ取り付けているが、輾圧板の幅寸法によっては、傾斜縁部の中央部に単数取り付けたり、または所定間隔で３個以上取り付けるなどの設計変更が可能である。
散布ノズル３として、本実施形態では、中実部材であるＭ１０サイズの六角ボルトを利用しており、図３に示すように六角ボルト９の先端部、すなわちボルト頭部が傾斜縁部１３ａより路面側に突出して小さなノズル頭部３ａを形成するように、ねじ部が傾斜縁部１３ａの所定位置に穿設された取付孔を貫通し、スプリングワッシャ１０及びナット１１にて傾斜縁部１３ａに固定される。六角ボルト９には、ねじ部端面からボルト頭部の中心部までにわたってキリ孔加工により液剤通路孔９ａが穿設され、またボルト頭部にはキリ孔加工によりそれぞれ液剤通路孔９ａに連通する散布孔９ｂ及び９ｃが穿設される（図２参照）。この散布孔９ｂ及び９ｃは、その孔軸が傾斜縁部１３ａの表面と平行となるように穿設されており、液剤が傾斜縁部１３ａの表面に沿って散布される構成となっている。また、本実施形態では傾斜縁部１３ａへの液剤散布が全面に行き渡るよう、図２に示すようにそれぞれの散布孔９ｂは路面と水平に、且つ傾斜縁部１３ａの中央部に向けて穿設され、散布孔９ｃは、その孔軸が散布孔９ｂの孔軸に対しおよそ１２０°の角度をもって傾斜縁部１３ａの左右外側下方に向かうように穿設されている。なお、六角ボルト９のねじ部先端に、上述の液剤供給ホース５或いは６がそれぞれ接続し、ホースバンド１２にて固定される。
【００１３】
以上のように、散布孔を傾斜縁部の表面と略平行に穿設させる手段を用いることにより、傾斜縁部表面から突出する散布ノズルのノズル頭部を極力小さくすることが可能となるため、縁石などへの接触もなくなり、常にスムースな路面輾圧作業が実現される。また、部材点数も少なく、散布ノズルとして既存の、パイプのような中空部材でなく、中実部材である六角ボルト等を機械加工して利用しているので、強度的にも優れ、装置の組付けも簡単で、安価に製作できるという利点も有することとなる。
なお、液剤は輾圧板の振動作用により放射状に霧状に散布されるので、散布孔は傾斜縁部の表面と完全に平行である必要はなく、傾斜縁部の表面に向けて多少の傾斜角度をもって穿設する等、適宜の設計変更が可能である。
【００１４】
また、本実施形態では、散布ノズル３、すなわち六角ボルト９のボルト頭部の先端が輾圧板１３の進行方向において、傾斜縁部１３ａの先端から極端にはみ出ないよう、その先端と略同位置となる程度に、六角ボルト９を傾斜縁部１３ａの上方に取り付けている。このように構成させれば、縁石など段差部との接触頻度がより少なくなるので、散布ノズルの変形、破損などを極力防止できることになる。
【００１５】
以上、本発明に係る振動式路面輾圧機の液剤散布装置についてその好適な実施形態を説明したが、本発明の主な特徴は、散布ノズルを輾圧板の傾斜縁部に、そのノズル頭部が傾斜縁部表面より小さく突出するように取り付け、散布孔を傾斜縁部の表面と略平行にノズル頭部に穿設したことであって、その実施範囲は既述した形態に限られることなく、本発明の主旨を逸脱しない範囲で各構成要素の形状、取付け位置など適宜設計変更することにより様々な応用が可能となる。
【００１６】
【発明の効果】
本発明に係る振動式路面輾圧機の液剤散布装置は、次のような効果を奏する。
（１）散布ノズルを、その先端部が輾圧板の傾斜縁部より路面側に突出して小さなノズル頭部を形成するように傾斜縁部に貫通して取り付けたので、従来の液剤散布装置に比べて縁石など段差部との接触頻度が極端に少なくなり、散布ノズルの変形、破損などを極力防止できるとともに常にスムースな路面輾圧作業が実現される。また、部材点数も少ないため、装置の組付けが簡単となり安価な装置が実現される。
（２）さらに、散布ノズルを、その先端が輾圧板の進行方向において傾斜縁部の先端よりも後方に位置するように、或いは略同位置となる程度に傾斜縁部の上方に取り付ける構成とすれば、縁石など段差部との接触頻度をより少なくすることができる。
【図面の簡単な説明】
【図１】液剤散布装置を搭載したプレートコンパクタを示す外観説明図であり、図１（ａ）は正面図、図１（ｂ）は側面図である。
【図２】図１（ｂ）におけるＡ矢視図である。
【図３】図１（ａ）におけるＢ−Ｂ断面図である。
【図４】従来の液剤散布装置を示す説明図であり、図４（ａ）は液剤散布装置を搭載したプレートコンパクタの正面図、図４（ｂ）は側面図である。
【図５】従来の液剤散布装置を示す説明図であり、図４（ｂ）におけるＧ矢視図である。
【図６】液剤散布装置の他の従来例を示す要部説明図であり、図６（ａ）はその正面図、図６（ｂ）は側面図である。
【符号の説明】
Ｃ          プレートコンパクタ
１          液剤散布装置
２          液剤タンク
３          散布ノズル
３ａ        ノズル頭部
４〜６      液剤供給ホース
７          ホース接続ニップル
８          コック
９          六角ボルト
９ａ        液剤通路孔
９ｂ、９ｃ  散布孔
１０        スプリングワッシャ
１１        ナット
１２        ホースバンド
１３        輾圧板
１３ａ      傾斜縁部
１３ｂ      踏面
１４        起振機
１５        駆動モータ
１６        エンジン
１７        ガードフレーム
１８        ハンドル
１９        取付板
２０        ベルト
２１        ブラケット
２２        ニップル
【図１】
0003846751.tif 000002
【図２】
0003846751.tif 000003
【図３】
0003846751.tif 000004
【図４】
0003846751.tif 000005
【図５】
0003846751.tif 000006
【図６】
0003846751.tif 000007